(57)【要約】【課題】乗客コンベアの各構成部材の芯出し作業を容易かつ簡単に行うこと。【解決手段】乗客コンベアの芯出し装置は乗客コンベアの上階支承部２近傍および下階支承部２ａ近傍に各々設置されたセンターポール３，３と、センターポール３，３間に渡されたピアノ線１７とを備えている。上階支承部２および下階支承部２ａに、垂直ライン２５と水平ライン２４とを放射するレーザー水平器６が設置されている。ピアノ線１７と、駆動軸２６および従動軸とに基づいて、レーザー水平器６の位置決めを行う。レーザー水平器６からの垂直ライン２５と水平ライン２４とを用いて各構成部材の芯出しを行う。【選択図】  図１
2004269076.tif 000002
【特許請求の範囲】
【請求項１】
上階支承部と下階支承部との間に配置されるとともに、複数の構成部材を有する乗客コンベアの芯出し装置において、
乗客コンベアの上階支承部の近傍および下階支承部の近傍に各々設置されたセンターポールと、
このセンターポール間に渡された基準線と、
上階支承部および下階支承部に各々設置され、垂直ラインと水平ラインを放射するレーザー水平器とを備え、
基準線を乗客コンベアのセンターラインに設置し、
この基準線に基づいてレーザー水平器の位置決めを行い、
このレーザー水平器を用いて乗客コンベアの各構成部材の芯出しを行うことを特徴とする乗客コンベアの芯出し装置。
【請求項２】
各レーザー水平器は、上階支承部および下階支承部に設置台を介して設置され、
各設置台は上下方向および水平方向に移動自在となっていることを特徴とする請求項１記載の乗客コンベアの芯出し装置。
【請求項３】
構成部材は駆動輪と従動輪とを含み、基準線とレーザー水平器は、この駆動輪または従動輪を基準として位置決めされることを特徴とする請求項１記載の乗客コンベアの芯出し装置。
【請求項４】
基準線に、レーザー水平器から放射される垂直ラインと照合される受光物を設置したことを特徴とする請求項１記載の乗客コンベアの芯出し装置。
【請求項５】
レーザー水平器に、レーザー水平器の水平および垂直度を検出するための水準器を取り付けたことを特徴とする請求項１記載の乗客コンベアの芯出し装置。
【請求項６】
少なくとも一方のセンターポールに、レーザー水平器から放射される垂直ラインと照合されるゲージを設置したことを特徴とする請求項１記載の乗客コンベアの芯出し装置。
【請求項７】
レーザー水平器は、センターポールから独立して設置されていることを特徴とする請求項１記載の乗客コンベアの芯出し装置。
【発明の詳細な説明】
【０００１】
【発明の属する技術分野】
本発明は、乗客コンベアの各構成部材の据付作業を行う際に用いる乗客コンベアの芯出し装置に関する。
【０００２】
【従来の技術】
従来の乗客コンベアにおいて、各構成部材を交換する場合、各構成部材を配置するための基準位置として既設のフレームあるいは既設のガイドレールを利用している。すなわち既設のフレームあるいはガイドレールに基づいて中心線（ＣＬ）、作業基準線（ＷＬ）、作業基準点（ＷＰ）を新たに求め、これにピアノ線、あるいはストレッチバーを設けて基準とし、この基準からの寸法を測定しながら各部材を設置している。
【０００３】
【発明が解決しようとする課題】
しかしながら、既設のフレームあるいは既設のガイドレールを利用して中心線（ＣＬ）、作業基準線（ＷＬ）、作業基準点（ＷＰ）を求める場合、既設のフレームは経年的に受ける荷重により変形している恐れがある。このように既設のフレームが変形している場合は、設計図上に決定された基準位置と、実際に存在する基準位置とがずれていると考えられる。
【０００４】
そこで、従来より変形を生じている恐れのある既設のフレームや既設のガイドレールを利用しなくても、各構成部材を良好に配置することができる乗客コンベアの芯出し装置の開発が要望されている。
【０００５】
また、各々の基準線・基準点を設置する場合、従来の方法では非常に長い時間を要するため、もっと簡単で短時間に設置できる芯出し装置の開発も要望されている。
【０００６】
本発明はこのような点を考慮してなされたものであり、フレームの変形に影響されず、しかも簡単でかつ短時間に各構成部材を良好に芯出しすることができる乗客コンベアの芯出し装置を提供することを目的とする。
【０００７】
【課題を解決するための手段】
本発明は、上階支承部と下階支承部との間に配置されるとともに、複数の構成部材を有する乗客コンベアの芯出し装置において、乗客コンベアの上階支承部の近傍および下階支承部の近傍に各々設置されたセンターポールと、このセンターポール間に渡された基準線と、上階支承部および下階支承部に各々設置され、垂直ラインと水平ラインを放射するレーザー水平器とを備え、基準線を乗客コンベアのセンターラインに設置し、この基準線に基づいてレーザー水平器の位置決めを行い、このレーザー水平器を用いて乗客コンベアの各構成部材の芯出しを行うことを特徴とする乗客コンベアの芯出し装置である。
【０００８】
本発明によれば、ピアノ線による水平基準線と、ピアノ線を設置するためのストレッチバーを設置する必要がなく、各構成部材を取り付ける際、下げ振りによる寸法測定を無くすことができる。
【０００９】
本発明は、各レーザー水平器は、上階支承部および下階支承部に設置台を介して設置され、各設置台は上下方向および水平方向に移動自在となっていることを特徴とする乗客コンベアの芯出し装置である。
【００１０】
本発明によれば、設置に微妙な調整を必要とするレーザー水平器の位置合わせ作業を容易に行うことができる。
【００１１】
本発明は、構成部材は駆動輪と従動輪とを含み、基準線とレーザー水平器は、この駆動輪または従動輪を基準として位置決めされることを特徴とする乗客コンベアの芯出し装置である。
【００１２】
本発明によれば、既設のフレーム及びガイドレールから基準を取る場合、経年的に受ける荷重によりフレームが変形していたり、ガイドレールが摩耗している恐れがあるのに対し、比較的精度の高い駆動輪または従動輪を設置の基準にすることにより、乗客コンベアの芯出し装置を精度良く設置することができる。
【００１３】
本発明は、基準線に、レーザー水平器から放射される垂直ラインと照合される受光物を設置したことを特徴とする乗客コンベアの芯出し装置である。
【００１４】
本発明によれば、細くて確認しずらい基準線と、レーザー光との一致確認作業を容易に行うことができる。
【００１５】
本発明は、レーザー水平器に、レーザー水平器の水平および垂直度を検出するための水準器を取り付けたことを特徴とする乗客コンベアの芯出し装置である。
【００１６】
本発明によれば、芯出し装置に利用するレーザー水平器を精度良く設置することが出来る。
【００１７】
本発明は、少なくとも一方のセンターポールに、レーザー水平器から放射される垂直ラインと照合されるゲージを設置したことを特徴とする乗客コンベアの芯出し装置である。
【００１８】
本発明によれば、センターポールに設けられたゲージを利用することにより、レーザー水平器の取り付け精度を確認することができる。
【００１９】
本発明は、レーザー水平器は、センターポールから独立して設置されていることを特徴とする乗客コンベアの芯出し装置である。
【００２０】
本発明によれば、各構成部材の寸法出し作業が完了した場合、レーザー水平器をセンターポールから分離することにより作業スペースを広くすることが可能となる。また、分離構造にすることにより各構成部材の運搬、取り付け作業性が向上する。
【００２１】
【発明の実施の形態】
第１の実施の形態
以下、図面を参照して本発明の実施の形態について説明する。
【００２２】
まず図９により乗客コンベアの概略について述べる。乗客コンベア３５は上階支承部２と下階支承部２ａとの間に延びるとともに、これら上階支承部２と下階支承部２ａとに支持された本体フレーム１と、複数の踏段２９を有し本体フレーム１に沿って移動する踏段チェーン２９ａと、踏段チェーン２９ａのガイド３０とを備えている。
【００２３】
また踏段チェーン２９ａは駆動輪２８によって駆動されるとともに、この駆動輪２８は減速機および電動機を有する駆動装置２７によって駆動されている。さらに本体フレーム１には欄干部分３２が設けられ、この欄干部分３２により踏段チェーン２９ａと同期して移動するハンドレール３１が支持されている。さらにまた、欄干部分３２の下方に内デッキ３３および外デッキ３４が設置されている。
【００２４】
次に、本発明による乗客コンベアの芯出し装置について図１乃至図５により説明する。
【００２５】
ここで図１は、乗客コンベア３５の上階支承部２付近を示す図であり、図２は上階支承部２付近の斜視図を示す。
【００２６】
乗客コンベアの芯出し装置は、上階支承部２近傍と下階支承部２ａ近傍に各々設けられたセンターポール３，３を備えている。このセンターポール３，３はセンターポール取り付け治具４により本体フレーム１に直接固定してもよいが、センターポール３，３は本体フレーム１に取り付け治具４および取付用横ハリ５を介して設置固定されている。
【００２７】
また各センターポール３，３の上部には、可動係合部３ａを介して上階支承部２と下階支承部２ａとを一直線に結ぶピアノ線（基準線）１７が張設されている。この可動係合部３ａは、図示しないボルトとナットによりセンターポール３，３に対して離接可能となっている。
【００２８】
またセンターポール３，３用の取付け用横ハリ５に、設置治具８がスライド機構用シャフト９を介して取付けられている。そしてこのスライド機構用シャフト９の上部側は、ボルト９ａにより取付け用横ハリ５に着脱可能な様に取付けられている。
【００２９】
一方、スライド機構用シャフト９の下部側には、スライド機構用シャフト取付け板１０が取付けられており、このスライド機構用シャフト取付け板１０にはスライド機構用シャフト取付け板１０と本体フレーム１とを固定するための固定金具１６が取付けられている。この固定金具１６には、ある程度の長さ調整が可能な様に長穴が設けられており、スライド機構用シャフト取付け板１０が固定金具１６に対して前後方向へ移動できるようになっている。
【００３０】
また、スライド機構用シャフト９には、スライドブッシュ１１を介してレーザー水平器設置台７が上下方向に移動自在に取付けられており、このレーザー水平器設置台７上にスライド板１４を介してレーザー水平器６が設置されている。またレーザー水平器設置台７の上下方向の移動により、レーザー水平器６は上下方向へスムーズに移動することができる。
【００３１】
なお、レーザー水平器設置台７の上下への移動手段としては、スライド機構用シャフト９の動きをアシストする為の特殊なアジャストボルト１２が用いられ、このアジャストボルト１２によりレーザー水平器設置台７の上下方向への微妙な調整を可能としている。
【００３２】
また、レーザー水平器設置台７上のスライド板１４を横方向に移動させる場合、レーザー水平器設置台７の左右両サイドに設けられた横方向調整ボルト１３を操作するようになっている。なおレーザー水平器設置台７上であって、スライド板１４の側面部には、スライド方向を規制する為のスライドガイド１５が設けられており、これによりスライド板１４が横方向へ精度良く移動できるようになっている。
【００３３】
またピアノ線１７には、下げ振り１８が取付けられており、この下げ振り１８とレーザー水平器６とによって乗客コンベアの各構成部材の芯出し調整を行うようになっている。
【００３４】
次にこのような構成からなる本実施の形態の作用について説明する。
【００３５】
まず初めに図３に示すようにセンターポール３，３を上階支承部２近傍および下階支承部２ａ近傍において本体フレーム１に固定し、その後ピアノ線１７を上階支承部２側のセンターポール３と下階支承部２ａ側のセンターポール３との間に可動係合部３ａを介して張設し、下げ振り１８をピアノ線１７から垂下させる。
【００３６】
次に図４により、乗客コンベアのセンターラインを決定するため、駆動軸２６を有する既設スプロケット（駆動輪）２８間の寸法および従動軸を有するスプロケット（従動輪）間の寸法を下げ振り１８を利用して測定し、スプロケット２８間の寸法に基づいてピアノ線１７の設置位置を定める。この場合、各センターポール３の可動係合部３ａをセンターポール３に対して離接させ、このようにしてピアノ線１７を移動することにより、ピアノ線の設置位置を定める。
【００３７】
その後、図５に示すように、センターライン（ピアノ線）１７と、駆動軸２６側のレーザー水平器６より放射されるレーザーの垂直ライン２５とを横方向調整ボルト１３を利用して一致させる。次に、駆動軸２６の機械加工面２６ａとレーザー水平器６から放射されるレーザーの水平ライン２４との高さ位置が一致するよう、上下方向アジャストボルト１２により調整してレーザー水平器６を上下方向に移動させる。同様にして従動軸側のレーザー水平器６の位置決め作業を、ピアノ線１７と従動軸とを基準として行う。
【００３８】
次に乗客コンベア３５の本体フレーム１に組み込まれた構成部材を交換したり据付作業を行う。この各構成部材を据え付ける場合は、レーザー水平器６から放射される水平ライン２４および垂直ライン２５を用いて芯出しを行う。
【００３９】
以上のように、本実施の形態によれば、今まで設置していた水平基準線用のピアノ線及びピアノ線を設置する為のストレッチバーを無くすることができると共に、基準設置の為に何度も測定を繰り返す作業を省略することができる。また短時間に基準位置を設置することができる。
【００４０】
次に図６により本発明の変形例について説明する。
【００４１】
図６に示すように、レーザー水平器設置台７は完全にセンターポール３から独立して上階支承部２近傍の本体フレーム１に取り付けられている。またレーザー水平器設置台７上には、ラボジャッキ２０を介してレーザー水平器６が上下方向に移動自在に設けられている。さらにレーザー水平器６はレーザー水平器設置台７の左右に取り付けられた横方向調整ボルト（図示せず）によって横方向へ移動することができる。
【００４２】
図６において、上下方向へレーザー水平器６をスムースに移動させることができ、レーザー水平器６の設置強度の向上を図ることができる。
【００４３】
第２の実施の形態
以下、本発明の第２の実施の形態について図７および図８により説明する。
【００４４】
図７は本体フレーム１にセンターポール３とレーザー水平器６を取り付けた状態を示す図である。
【００４５】
図７に示すように、乗客コンベアの上階支承部２と下階支承部２ａとに設けられたセンターポール３，３間にピアノ線１７が設けられている。このピアノ線１７の上階支承部２側、下階支承部２ａ側および中間部にレーザー水平器から放射される垂直ライン２５とピアノ線１７とを一致させる為の受光物３６ａ，３６ｂが取付けられている。
【００４６】
図７および図８に示す第２の実施の形態において、第１の実施の形態と同一部分には同一符号を付して詳細な説明は省略する。
【００４７】
受光物３６ａ，３６ｂには直線をけがいて形成され、この直線の位置とピアノ線１７とが正確に一致するよう、受光物３６ａ，３６ｂがピアノ線１７に設置される。
【００４８】
この受光物３６ａ，３６ｂは一枚の細長い物であっても、ある程度の大きさの物をつなぎ合わせた物でも、正確な直線を得られる物であれば何ら構わない。
【００４９】
また、上階支承部側の受光物３６ｂと、中間部側の受光物とを組み合わせたり、下階支承部側の受光物３６ｂと中間部側の受光物３６ａとを組み合わせることにより、レーザー水平器６から放射されるレーザーの垂直ライン２５の取付け精度を確認することもできる。
【００５０】
また、図８に示すように、レーザー水平器設置台７の先端部には、水平・垂直度を確認する為の水準器２２が設けられており、これによりわざわざ別の水準器を持ってこなくとも簡単にレベル確認を行う事ができる。
【００５１】
さらに、センターポール３に、幅方向に目盛りを付したゲージ２３を取り付けておいてもよい。この場合、ゲージ２３の目盛りに合わせてレーザー水平器６より放射されるレーザーの垂直ライン２５を、横方向調整ボルト１３を利用して移動させ、垂直ライン２５の調整を行うことができる。
【００５２】
これにより、レーザーの垂直ライン２５を任意の位置に簡単に合わせることができ、本体フレーム１に取り付ける構成部材をレーザーの垂直ライン２５ラインに合わせるだけで構成部材を簡単に芯出しすることが可能となる。
【００５３】
本実施の形態によれば、レーザー水平器６をより早く、より簡単に、しかも正確に位置決めすることができ、本体フレーム１に構成部材を簡単に芯出しして取付けることができる。
【００５４】
【発明の効果】
以上説明したように、本発明によれば、既設の乗客コンベアの本体フレームを残して、この本体フレーム内に各種構成部材を据え付ける場合、従来のような水平基準線や、それを設置する為のストレッチバーを設置する必要がないため、短時間に芯出し作業を行うことができる。また、上階支承部や下階支承部においては、下げ振りを用いることなく各構成部材の取り付けを行うことができるため、下げ振りの揺れに伴う芯出し誤差が生じることがなく、短時間に正確な芯出し作業を行うことができる。
【図面の簡単な説明】
【図１】本発明による乗客コンベアの芯出し装置の第１の実施の形態を説明する詳細図。
【図２】図１に示す乗客コンベアの芯出し装置の斜視図。
【図３】本発明の第１の実施の形態における作用を説明する図。
【図４】本発明の第１の実施の形態においてセンターラインを決定する方法を説明する図。
【図５】本発明の第１の実施の形態を示す正面方向拡大図。
【図６】本発明の変形例を示す図。
【図７】本発明による乗客コンベアの芯出し装置の第２の実施の形態を説明する図。
【図８】図７に示す乗客コンベアの芯出し装置の上階支承部を示す図。
【図９】乗客コンベアを示す概略図。
【符号の説明】
１  本体フレーム
２  上階支承部
２ａ  下階支承部
３  センターポール
３ａ  可動係合部
４  取付け治具
５  取付け用横ハリ
６  レーザー水平器
７  レーザー水平器設置台
８  設置治具
９  スライド機構用シャフト
１０  スライド機構用シャフト取付け板
１１  スライドブッシュ
１２  アジャストボルト
１３  横方向調整ボルト
１４  スライド板
１５  スライドガイド
１６  固定金具
１７  ピアノ線
１８  下げ振り
１９  スプロケット
２０  ラボジャッキ台
２２  水準器
２３  ゲージ
２４  水平ライン
２５  垂直ライン
２７  駆動装置
２８  駆動輪
２９  踏段
２９ａ  踏段チェーン
３５  乗客コンベア
３６ａ・３６ｂ  受光物
【図１】
2004269076.tif 000003
【図２】
2004269076.tif 000004
【図３】
2004269076.tif 000005
【図４】
2004269076.tif 000006
【図５】
2004269076.tif 000007
【図６】
2004269076.tif 000008
【図７】
2004269076.tif 000009
【図８】
2004269076.tif 000010
【図９】
2004269076.tif 000011